(57)【特許請求の範囲】
【請求項１】
平面型の表示部を収納するケース本体と、
このケース本体の外周に沿って装着されるほぼ枠状の化粧パネルと、
この化粧パネルにスライド可能に装着されて前記表示部の表示領域を露呈させるための表示開口部を有するほぼ枠状の見切りパネルと、
この見切りパネルを前記化粧パネルに対しスライドさせて前記ケース本体を前記化粧パネルに押し付けてロックするスライドロック部と
を備えていることを特徴とする機器ケース。
【請求項２】
前記スライドロック部は、前記見切りパネルに設けられたフック部と、前記化粧パネルに設けられて前記フック部が前記見切りパネルのスライド動作に応じて係脱可能に係合するロック係合部とを有し、前記フック部が前記ロック係合部に係合した際に、前記フック部が前記ケース本体の一部を前記化粧パネルに押し付けてロックすることを特徴とする請求項１に記載の機器ケース。
【請求項３】
前記化粧パネルには係合突起部が設けられており、前記ケース本体には前記化粧パネルの前記係合突起部を係脱可能に係止する係止部が設けられていることを特徴とする請求項１または請求項２に記載の機器ケース。
【請求項４】
前記見切りパネルをスライドさせた際に、前記見切りパネルのスライド位置を規制する位置規制部を備えていることを特徴とする請求項１〜請求項３のいずれかに記載の機器ケース。
【請求項５】
前記化粧パネルは、前記見切りパネルをスライド可能に保持するスライド保持部を備えていることを特徴とする請求項１〜請求項４のいずれかに記載の機器ケース。
【発明の詳細な説明】
【技術分野】
【０００１】
この発明は、電子辞書、小型電子式計算機、携帯電話機などの電子機器に用いられる機器ケースに関する。
【背景技術】
【０００２】
従来、電子辞書などの電子機器においては、特許文献１に記載されているように、平面型の表示部を有する第１ケースと、キー入力部を有する第２ケースとを、ヒンジ部によって回転可能に連結し、このヒンジ部を中心に第１、第２の各ケースが回転して開閉することにより、折り畳み可能に構成されたものが知られている。
【先行技術文献】
【特許文献】
【０００３】
【特許文献１】特開２００６−５８４１４号公報
【０００４】
このような電子機器における第１ケースは、平面型の表示部を収納するケース本体と、このケース本体の外周に沿って装着されるほぼ枠状の化粧パネルと、この化粧パネルに装着されて表示部の表示領域を露呈させるための表示開口部を有するほぼ枠状の見切りパネルとを備え、化粧パネルがケース本体の外周縁部と見切りパネルの外周縁部とを覆うことにより、堅牢性、装飾性およびデザイン性を高めるように構成されている。
【発明の概要】
【発明が解決しようとする課題】
【０００５】
ところで、このような従来の電子機器の第１ケースにおいては、ケース本体を化粧パネルに取り付けるために、化粧パネルに設けられた突起状の係合部を見切りパネルに設けられた突起状の係止部に係止させて、化粧パネルと見切りパネルとを着脱可能に取り付け、この状態でケース本体の外部からビスをケース本体に設けられたビス挿入孔に挿入させ、この挿入したビスの先端部を見切りパネルに設けられたねじ孔に螺着することにより、ケース本体を化粧パネルに取り付けるように構成されている。
【０００６】
しかし、このような第１ケースにおける化粧パネルに対するケース本体の取付構造では、ビスがケース本体の外部に露出するため、外観的にもデザイン的にも好ましくないばかりでなく、ビスを用いているので、部品点数が多くなると共に、ビス止め作業が煩雑で面倒であるなどの問題がある。
【０００７】
そこで、従来の電子機器における第１ケースでは、ビスを用いずに化粧パネルをケース本体に確実に固定するためのロック構造を採用することが要望されている。このロック構造としては、例えば、化粧パネルに設けられてケース本体の縁部を挟む挟持部と、この挟持部の近傍における化粧パネルの箇所に設けられた突起部と、ケース本体に設けられて化粧パネルの突起部が係合する係合孔とを有する構成のものが考えられている。
【０００８】
このような従来の電子機器における第１ケースでは、化粧パネルをケース本体に取り付ける際に、予め、見切りパネルを化粧パネルに取り付けて固定し、この後ケース本体内に表示部を収納し、この状態でケース本体の縁部を化粧パネルの挟持部に差し込むと共に、この化粧パネルの突起部をケース本体の係合孔に係合させることにより、化粧パネルをケース本体に取り付けている。
【０００９】
しかしながら、このような従来の電子機器の第１ケースにおいては、化粧パネルをケース本体に確実に取り付けることができても、化粧パネルをケース本体に取り付けるために、ケース本体の縁部を化粧パネルの挟持部に差し込む際に、化粧パネルの突起部が邪魔になるという問題がある。
【００１０】
すなわち、ケース本体の縁部を化粧パネルの挟持部に差し込む際には、化粧パネルに設けられた突起部を避けながら、ケース本体の縁部を化粧パネルの挟持部に差し込まなければならないため、ケース本体に対する化粧パネルの取付作業が面倒であるという問題があるほか、化粧パネルをケース本体から取り外す際にも、化粧パネルの突起部が邪魔になるため、取外し作業も面倒で、製造時および修理時における組立、分解が容易にできないという問題がある。
【００１１】
この発明が解決しようとする課題は、化粧パネルをケース本体に対して確実に取り付けることができると共に、化粧パネルをケース本体に対して簡単に且つ容易に着脱することができる機器ケースを提供することである。
【課題を解決するための手段】
【００１２】
この発明は、上記課題を解決するために、次のような構成要素を備えている。
請求項１に記載の発明は、平面型の表示部を収納するケース本体と、このケース本体の外周に沿って装着されるほぼ枠状の化粧パネルと、この化粧パネルにスライド可能に装着されて前記表示部の表示領域を露呈させるための表示開口部を有するほぼ枠状の見切りパネルと、この見切りパネルを前記化粧パネルに対しスライドさせて前記ケース本体を前記化粧パネルに押し付けてロックするスライドロック部とを備えていることを特徴とする機器ケースである。
【００１３】
請求項２に記載の発明は、前記スライドロック部が、前記見切りパネルに設けられたフック部と、前記化粧パネルに設けられて前記フック部が前記見切りパネルのスライド動作に応じて係脱可能にロック係合する係合部とを有し、前記フック部が前記ロック係合部に係合した際に、前記フック部が前記ケース本体の一部を前記化粧パネルに押し付けてロックすることを特徴とする請求項１に記載の機器ケースである。
【００１４】
請求項３に記載の発明は、前記化粧パネルに係合突起部が設けられており、前記ケース本体には前記化粧パネルの前記係合突起部を係脱可能に係止する係止部が設けられていることを特徴とする請求項１または請求項２に記載の機器ケースである。
【００１５】
請求項４に記載の発明は、前記見切りパネルをスライドさせた際に、前記見切りパネルのスライド位置を規制する位置規制部を備えていることを特徴とする請求項１〜請求項３のいずれかに記載の機器ケースである。
【００１６】
請求項５に記載の発明は、前記化粧パネルが、前記見切りパネルをスライド可能に保持するスライド保持部を備えていることを特徴とする請求項１〜請求項４のいずれかに記載の機器ケースである。
【発明の効果】
【００１７】
この発明によれば、ケース本体に化粧パネルを取り付ける際に、ケース本体に化粧パネルを配置すると共に、この化粧パネルに見切りパネルを配置し、この状態で見切りパネルを一方向にスライドさせると、スライドロック部がケース本体の一部を化粧パネルに押し付けて、ケース本体を化粧パネルにロックすることができる。このため、化粧パネルをケース本体に対して確実に取り付けることができる。
【００１８】
また、ケース本体から化粧パネルを取り外す際には、見切りパネルを逆方向にスライドさせると、スライドロック部による化粧パネルに対するケース本体のロックを解除することができる。このため、化粧パネルをケース本体から容易に取り外すことができる。これにより、ケース本体に対する化粧パネルの着脱作業性が良く、製造時および修理時における組立、分解が容易にできる。
【図面の簡単な説明】
【００１９】
【図１】この発明を電子辞書に適用した一実施形態を示した使用状態における正面図である。
【図２】図１に示された電子辞書を折り畳んで携帯する際における第１ケースの平面図である。
【図３】図１に示された電子辞書の第１ケースにおいて、ケース本体を取り外した状態で化粧パネルと見切りパネルとがスライドロック部によってロックされて取り付けられた状態をその内部側から見て示した拡大図である。
【図４】図３に示された第１ケースの化粧パネルを示した拡大図である。
【図５】図３に示された第１ケースの見切りパネルを示した拡大図である。
【図６】図３に示された第１ケースにおいて、スライドロック部による化粧パネルと見切りパネルとのロックが解除された状態をその内側から見て示した拡大図である。
【図７】図３に示された第１ケースにおけるＡ部を示した拡大図である。
【図８】図７のＡ−Ａ矢視における要部を示した拡大断面図である。
【図９】図７のＢ−Ｂ矢視における要部を示した拡大断面図である。
【図１０】図７のＣ−Ｃ矢視における要部を示した拡大断面図である。
【図１１】図６に示された第１ケースにおけるＢ部を示した拡大図である。
【図１２】図１１のＤ−Ｄ矢視における要部を示した拡大断面図である。
【図１３】図１１に示された第１ケースのＣ部において、弾性突起部が弾性変形した状態を示した要部の拡大図である。
【発明を実施するための形態】
【００２０】
以下、図１〜図１３を参照して、この発明を電子辞書に適用した一実施形態について説明する。
この電子辞書は、図１に示すように、第１ケース１と第２ケース２とをヒンジ部３によって回転可能に連結し、このヒンジ部３を中心に第１、第２の各ケース１、２が回転して開閉することにより、折り畳み可能に構成されている。
【００２１】
第１ケース１は、図１および図２に示すように、四角形状に形成され、その内部に平面型の入力表示部４が設けられるように構成されている。第２ケースは、図１に示すように、第１ケース１と同じ形状で同じ大きさに形成され、その内部にキーボード部５、タッチ入力部６、およびスピーカ７が設けられるように構成されている。
【００２２】
ヒンジ部３は、図１および図２に示すように、第１ケース１の一辺部（図１では下辺部）における両側に設けられた一対の第１ヒンジ筒部３ａと、この一対の第１ヒンジ筒部３ａ間に対応する第２ケース２の一辺部（図１では上辺部）に設けられた第２ヒンジ筒部３ｂと、一対の第１ヒンジ筒部３ａおよび第２のヒンジ筒部３ｂの両者における各内部に連続して挿入されてその両者を回転可能に連結するヒンジ軸３ｃとを備えている。
【００２３】
これにより、第１ケース１と第２ケース２とは、図１に示すように、ヒンジ部３のヒンジ軸３ｃを中心に回転して開くと、第１ケース１の表示部４が上面側に露呈すると共に、第２ケース２のキーボード部５、タッチ入力部６、およびスピーカ部７が上面側に露呈し、この状態で入力表示部４を見ながらキーボード部５をキー操作して使用するように構成されている。
【００２４】
また、この第１ケース１と第２ケース２とは、図１においてヒンジ部３のヒンジ軸３ｃを中心に回転して閉じると、第１ケース１の表示部４が第２ケース２のキーボード部５、タッチ入力部６、およびスピーカ７に対面した状態で、図２に示すように、第１ケース１と第２ケース２とが重なり合い、この状態でコンパクトに携帯することができるように構成されている。
【００２５】
この場合、第１ケース１の入力表示部４は、図８〜図１０に示すように、透明なタッチパネル４ａ、表示パネル４ｂ、およびバックライトパネル４ｃを重ね合わせた構成になっている。透明なタッチパネル４ａは、その表面をタッチ操作することによりタッチ情報が得られるように構成されている。表示パネル４ｂは、液晶表示パネルやＥＬ（エレクトロルミネッセンス）表示パネルなどの平面型の表示パネルからなり、図８〜図１０に示すように、透明なタッチパネル４ａの裏面（図８では上面）に設けられている。
【００２６】
バックライトパネル４ｃは、図８〜図１０に示すように、表示パネル４ｂを裏面側から照明するためのものであり、表示パネル４ｂの裏面（図８では上面）に設けられている。これにより、入力表示部４は、透明なタッチパネル４ａを通して表示パネル４ｂに表示された情報が見え、この表示パネル４ｂに表示された情報を見ながらタッチパネル４ａをタッチ操作することにより、タッチ情報が得られるように構成されている。
【００２７】
一方、第２ケース２のキーボード部５は、図１に示すように、文字キー、カーソルキー、ファンクションキーなどの辞書機能に必要な各種のキーを備え、これらの各キーが第１ケース１の入力表示部４に対面する第２ケース２の上面から外部に露出し、この露出した各キーを押圧操作することにより、キー情報が得られるように構成されている。
【００２８】
また、この第２ケース２のタッチ入力部６は、手書き情報を入力する手書き入力部である。すなわち、このタッチ入力部６は、入力表示部４と同様、タッチ操作によって情報を取り込む透明なタッチパネルの裏面に、情報を表示する表示パネルを重ね合わせたものであり、透明なタッチパネルを通して表示パネルに表示された情報が見えるように構成されている。
【００２９】
これにより、このタッチ入力部６は、透明なタッチパネルに入力ペンを接触させて移動させると、その入力ペンの接触移動に応じた手書き情報が入力されると共に、その手書き情報が表示パネルに表示されるように構成されている。また、スピーカ部７は、音声などの音を発生させるためのものであり、入力表示部４に表示された情報を音声で発生することにより、漢字の読み方、英語などの外国語の単語や文章を発音するように構成されている。
【００３０】
ところで、第１ケース１は、図１〜図５に示すように、平面型の入力表示部４を収納するケース本体１０と、このケース本体１０の外周に沿って装着されるほぼ枠状の化粧パネル１１と、この化粧パネル１１にスライド可能に装着されて入力表示部４の表示領域を露呈させるための表示開口部１２ａを有するほぼ枠状の見切りパネル１２と、この見切りパネル１２を化粧パネル１１に対しスライドさせてケース本体１０を化粧パネル１１に押し付けてロックするスライドロック部１３とを備えている。
【００３１】
ケース本体１０は、アルミニウムなどの金属板からなり、その周囲には、図８〜図１０に示すように、縁部１０ａがほぼ垂直に折り曲げられた状態で設けられている。このケース本体１０は、その内部に入力表示部４が配置されるように構成されている。また、化粧パネル１１は、合成樹脂からなり、図３および図４に示すように、全体がほぼ枠状に形成されている。
【００３２】
すなわち、化粧パネル１１は、図４、図８〜図１０に示すように、断面がほぼＬ字形状に形成されている。この場合、化粧パネル１１の起立した部分には、ケース本体１０の縁部１０ａが装着するケース装着部１４が設けられている。また、この化粧パネル１１の水平な部分には、見切りパネル１２の外周に位置する縁部１２ａが装着するパネル装着部１５が設けられている。
【００３３】
見切りパネル１２は、合成樹脂からなり、図３および図５に示すように、ほぼ四角形の平板状に形成されており、その中央部分には、入力表示部２の表示領域に対応する表示開口部１２ｂが形成されている。この見切りパネル１２は、図３および図６に示すように、その外周に位置する縁部１２ａが化粧パネル１１のパネル装着部１５にその前後方向（図３では上下方向つまり矢印Ｘ、Ｙ方向）にスライド可能に配置されるように構成されている。
【００３４】
一方、スライドロック部１３は、図３〜図８に示すように、見切りパネル１２の両側に位置する縁部１２ａにそれぞれ設けられた複数のフック部１６と、化粧パネル１１の両側に位置するパネル装着部１５にそれぞれ設けられて複数のフック部１６が見切りパネル１２のスライド動作に応じて係脱可能に係合する複数のロック係合部１７とを有している。
【００３５】
これにより、このスライドロック部１３は、図７および図８に示すように、見切りパネル１２が矢印Ｘ方向にスライドして、各フック部１６が各ロック係合部１７にそれぞれ係合した際に、各フック部１６がケース本体１０の縁部１０ａを化粧パネル１１のケース装着部１４の内面に押し付けてロックするように構成されている。
【００３６】
この場合、複数のフック部１６は、図７および図８に示すように、それぞれ全体がほぼＬ字形状に形成されている。この複数のフック部１６は、図３および図５に示すように、見切りパネル１２の両側に位置する縁部１２ａにおける上下方向の中間部と下辺部とにそれぞれ設けられている。
【００３７】
すなわち、このフック部１６は、図７および図８に示すように、見切りパネル１２の両側に位置する縁部１２ａにそれぞれ一体に形成されて外部に突出した固定アーム部１６ａと、この固定アーム部１６ａの先端部にそれぞれ一体に形成されて見切りパネル１２のスライド方向（図５では上辺側）に向けて突出する挿入突起部１６ｂとを備えている。
【００３８】
複数のロック係合部１７は、図３〜図８に示すように、化粧パネル１１の両側に位置するパネル装着部１５にそれぞれ設けられた挟持片１７ａと、この挟持片１７ａから化粧パネル１１におけるケース装着部１４の内面までの間に設けられた装着溝部１７ｂとを備えている。この場合、挟持片１７ａは、見切りパネル１２に設けられた複数のフック部１６がそれぞれ対応する箇所に設けられている。
【００３９】
また、装着溝部１７ｂは、図７および図８に示すように、化粧パネル１１のパネル装着部１５に設けられた挟持片１７ａからケース装着部１４の内面までの間隔が、フック部１６の挿入突起部１６ｂとケース本体１０の縁部１０ａとの両者が挿入して、ケース本体１０の縁部１０ａがフック部１６の挿入突起部１６ｂによってケース装着部１４の内面に押し付けられる程度の長さで設けられている。
【００４０】
これにより、スライドロック部１３は、図７および図８に示すように、ケース本体１０の縁部１０ａが化粧パネル１１のロック係合部１７における装着溝部１７ｂに配置された状態で、見切りパネル１２のフック部１６の挿入突起部１６ｂが、見切りパネル１２の矢印Ｘ方向へのスライド動作に伴って、ロック係合部１７の装着溝部１７ｂに挿入された際に、ケース本体１０の縁部１０ａをフック部１６の挿入突起部１６ｂがケース装着部１４の内面に押し付けて、ケース本体１０を化粧パネル１１に対してロックするように構成されている。
【００４１】
また、このスライドロック部１３は、図１１および図１２に示すように、ケース本体１０の縁部１０ａをフック部１６の挿入突起部１６ｂがケース装着部１４の内面に押し付けて、ケース本体１０が化粧パネル１１にロックされた状態で、見切りパネル１２を矢印Ｙ方向にスライドさせて、見切りパネル１２のフック部１６の挿入突起部１６ｂを化粧パネル１１のロック係合部１７における装着溝部１７ｂ内から離脱させると、ケース本体１０に対する化粧パネル１１のロックが解除されるように構成されている。
【００４２】
この場合、化粧パネル１１におけるケース装着部１４には、図４および図１０に示すように、複数の係合突起部１８が設けられている。また、ケース本体１０の縁部１０ａには、図１０に示すように、化粧パネル１１の複数の係合突起部１８をそれぞれ係脱可能に係止する複数の係止孔１９が設けられている。
【００４３】
複数の係合突起部１８は、図３および図４に示すように、スライドロック部１３の各フック部１６からそのスライド方向に沿って離れた箇所における化粧パネル１２のケース装着部１４の内面に、その内部側に向けて突出した状態で、それぞれ設けられている。また、複数の係止孔１９は、複数の係合突起部１８と同様、スライドロック部１３の各フック部１６からそのスライド方向に沿って離れた箇所におけるケース本体１０の縁部１０ａにそれぞれ設けられている。
【００４４】
また、化粧パネル１１と見切りパネル１２とには、図３〜図７、図９、図１１、図１３に示すように、見切りパネル１２を矢印Ｘ、Ｙ方向にスライドさせた際に、化粧パネル１１に対する見切りパネル１２のスライド位置を規制するための複数の位置規制部２０が設けられている。
【００４５】
この複数の位置規制部２０は、図５、図７および図９に示すように、見切りパネル１２の両側に位置する縁部１２ａにそれぞれ一体に形成されて外部に弾力的に突出する複数の弾性突起部２１と、化粧パネル１１の両側に位置するパネル装着部１５にそれぞれ設けられて複数の弾性突起部２１が弾力的に係脱可能に係合する複数の係合規制部２２とを備えている。
【００４６】
複数の弾性突起部２１は、図７、図８、図１１および図１３に示すように、見切りパネル１２の両側に位置する縁部１２ａにその表裏面に貫通してそれぞれ設けられたスリット孔１２ａと、このスリット孔２１ａの外部側にそれぞれ位置する弾性片部２１ｂと、この弾性片部２１ｂにそれぞれ設けられて見切りパネル１２の外部に突出する突起部２１ｃとを備えている。この突起部２１ｃは、図１３に示すように、弾性片部２１ｂの弾性変形に伴って見切りパネル１２の外部と内部とに向けて出没するように構成されている。
【００４７】
複数の係合規制部２２は、図７、図１１および図１３に示すように、化粧パネル１１の両側に位置するパネル装着部１５にそれぞれ見切りパネル１２のスライド方向に沿って設けられた位置規制壁部２２ａと、この位置規制壁部２２ａの内側面（図７では左側に位置する内面）に設けられた第１、第２の各位置規制凹部２２ｂ、２２ｃとを備えている。
【００４８】
これにより、この係合規制部２２は、図７、図１１および図１３に示すように、見切りパネル１２が矢印Ｘ、Ｙ方向にスライドした際に、見切りパネル１２に設けられた弾性突起部２１の突起部２１ｃが、位置規制壁部２２ａに設けられた第１、第２の各位置規制凹部２２ｂ、２２ｃのいずれかに係脱可能にクリック感をもって係合することにより、弾性突起部２１の位置を規制するように構成されている。
【００４９】
この場合、第１、第２の各位置規制凹部２２ｂ、２２ｃのうち、第１の位置規制凹部２２ｂは、図７に示すように、見切りパネル１２が矢印Ｘ方向にスライドして、スライドロック部１３のフック部１６の挿入突起部１６ｂがロック係合部１７の装着溝部１７ｂに挿入した際に、弾性突起部２１の突起部２１ｃがクリック感をもって係合するように構成されている。
【００５０】
また、第２の位置規制凹部２２ｃは、図１１に示すように、見切りパネル１２が矢印Ｙ方向にスライドして、スライドロック部１３のフック部１６の挿入突起部１６ｂがロック係合部１７の装着溝部１７ｂ内から離脱した際に、弾性突起部２１の突起部２１ｃがクリック感をもって係合するように構成されている。
【００５１】
ところで、化粧パネル１１のパネル装着部１５には、図７、図１０および図１１に示すように、見切りパネル１２をスライド可能に保持する複数のスライド保持部２３が設けられている。このスライド保持部２３は、図１０に示すように、見切りパネル１２の外周に位置する縁部１２ａをスライド可能に挟むものであり、見切りパネル１２の縁部１２ａの上部を押える押え片２３ａを備えている。
【００５２】
この押え片２３ａは、図７、図１０および図１１に示すように、化粧パネル１１のパネル装着部１５における複数の係合突起部１８と対応する箇所に設けられている。また、この押え片２３ａは、図１０に示すように、パネル装着部１５の上方に位置した状態で、化粧パネル１１のケース装着部１４からパネル装着部１５に対し平行な状態で突出して設けられている。
【００５３】
この場合、この押え片２３ａは、図７、図１０および図１１に示すように、その長さがパネル装着部１５の内端部（図１０では左端部）よりも短く形成されている。また、見切りパネル１２は、図３、図７および図１０に示すように、その左右方向の長さが化粧パネル１１の両側に位置して互いに対応する押え片２３ａ間の長さよりも少し長く形成されている。
【００５４】
これにより、このスライド保持部２３は、見切りパネル１２を化粧パネル１１に装着する際に、見切りパネル１２の片側に位置する縁部１２ａを押え片２３ａとパネル装着部１５との間に挿入させて、弾性突起部２１を係合規制部２２に押し付けて弾性変形させることにより、見切りパネル１２の他方に位置する片側の縁部１２ａをこれに対応する押え片２３ａよりも内側に位置させるように構成されている。
【００５５】
また、このスライド保持部２３は、見切りパネル１２の片側に位置する縁部１２ａを押え片２３ａとパネル装着部１５との間に挿入させて、弾性突起部２１を弾性変形させた状態で、見切りパネル１２の他方に位置する片側の縁部１２ａをこれに対応する押え片２３ａとパネル装着部１５との間に対応させると、弾性突起部２１の弾性復帰力によって見切りパネル１２の他方に位置する片側の縁部１２ａが押え片２３ａとパネル装着部１５との間に挿入することにより、見切りパネル１２を化粧パネル１１にスライド可能に保持するように構成されている。
【００５６】
次に、このような電子辞書の機器ケースである第１ケース１を組み立てる場合について説明する。
まず、図６に示すように、化粧パネル１１に見切りパネル１２を取り付ける。このときには、見切りパネル１２の片側に位置する縁部を押え片２３ａとパネル装着部１５との間に挿入させて、弾性突起部２１を係合規制部２２に押し付けて弾性変形させる。
【００５７】
この状態で、見切りパネル１２の他方に位置する片側の縁部を押え片２３ａとパネル装着部１５との間に対応させる。すると、弾性突起部２１の弾性復帰力によって見切りパネル１２の他方に位置する片側の縁部が押え片２３ａとパネル装着部１５との間に挿入する。これにより、図６および図１１に示すように、見切りパネル１２が化粧パネル１１にスライド可能に保持される。
【００５８】
このときには、図６および図１１に示すように、スライドロック部１３におけるフック部１６の挿入突起部１６ｂがロック係合部１７の装着溝部１７ｂ内から離脱して離れた位置に配置されている。また、このときには、図６および図１１に示すように、位置規制部２０における弾性突起部２１の突起部２１ｃが係合規制部２２の位置規制壁部２２ａに設けられた第２の位置規制凹部２２ｃに係合して位置規制されている。
【００５９】
この状態で、ケース本体１０内に入力表示部４を配置し、このケース本体１０を化粧パネル１１に取り付ける。このときには、ケース本体１０の縁部１０ａを化粧パネル１１のケース装着部１４の内面に沿って装着する。すると、図１２に示すように、ケース本体１０の縁部１０ａの下部がスライドロック部１３におけるロック係合部１７の装着溝部１７ｂ内に挿入すると共に、図１０に示すように、化粧パネル１１のケース装着部１４に設けられた係合突起部１８が、ケース本体１０の縁部１０ａに設けられた係止孔１９に挿入して係止される。
【００６０】
また、このときには、スライドロック部１３におけるフック部１６の挿入突起部１６ｂがロック係合部１７の装着溝部１７ｂ内から離脱して離れた位置に配置されているので、ケース本体１０の縁部１０ａを化粧パネル１１のケース装着部１４の内面に沿って装着することにより、ケース本体１０の縁部１０ａの下部がスライドロック部１３におけるフック部１６の挿入突起部１６ｂと化粧パネル１１のケース装着部１４の内面との間に挿入される。
【００６１】
この状態で、見切りパネル１２を図６および図１１において矢印Ｘ方向にスライドさせると、図３および図７に示すように、スライドロック部１３におけるフック部１６の挿入突起部１６ｂが、ロック係合部１７の装着溝部１７ｂ内に挿入する。このときには、図８に示すように、フック部１６の挿入突起部１６ｂがロック係合部１７の挟持片１７ａに圧接しながら装着溝部１７ｂに挿入することにより、フック部１６の挿入突起部１６ｂがケース本体１０の縁部１０ａを化粧パネル１１のケース装着部１４の内面に押し付ける。これにより、ケース本体１０は化粧パネル１１に対しロックされた状態で確実に取り付けられる。
【００６２】
また、このときには、図３および図７に示すように、位置規制部２０における弾性突起部２１の突起部２１ｃが、見切りパネル１２の矢印Ｘ方向へのスライドに伴って、係合規制部２２の位置規制壁部２２ａに設けられた第２の位置規制凹部２２ｃから第１の位置規制凹部２２ｂに移動してクリック感をもって係合する。これにより、見切りパネル１２は、化粧パネル１１に対してロック位置に位置規制される。
【００６３】
次に、このような電子辞書の機器ケースである第１ケース１を分解する場合について説明する。
このときには、まず、見切りパネル１２を図３および図７において矢印Ｙ方向にスライドさせる。すると、図６および図１１に示すように、スライドロック部１３におけるフック部１６の挿入突起部１６ｂが、ロック係合部１７の装着溝部１７ｂ内から離脱して離れた位置に移動する。
【００６４】
これにより、フック部１６の挿入突起部１６ｂによってケース本体１０の縁部１０ａが化粧パネル１１のケース装着部１４の内面に押し付けられたロック状態が解除される。また、このときには、図６および図１１に示すように、位置規制部２０における弾性突起部２１の突起部２１ｃが、見切りパネル１２の矢印Ｙ方向へのスライドに伴って、係合規制部２２の位置規制壁部２２ａに設けられた第１の位置規制凹部２２ｂから第２の位置規制凹部２２ｃに移動してクリック感をもって係合する。これにより、見切りパネル１２は、化粧パネル１１に対してロックされていない位置に規制される。
【００６５】
このように、スライドロック部１３によるケース本体１０のロックが解除されると、ケース本体１０の縁部１０ａをその内側に向けて撓ませることにより、化粧パネル１１のケース装着部１４に設けられた係合突起部１８を、ケース本体１０の縁部１０ａに設けられた係止孔１９から抜き出すことができる。この状態で、ケース本体１０の縁部１０ａを化粧パネル１１のケース装着部１４の内面に沿って引き出すことにより、ケース本体１を化粧パネル１１から容易に取り外すことができる。
【００６６】
このように、この電子辞書の機器ケースである第１ケース１によれば、平面型の入力表示部４を収納するケース本体１０と、このケース本体１０の外周に沿って装着されるほぼ枠状の化粧パネル１１と、この化粧パネル１１にスライド可能に装着されて入力表示部４の表示領域を露呈させるための表示開口部１２ｂを有するほぼ枠状の見切りパネル１２と、この見切りパネル１２を化粧パネル１１に対しスライドさせてケース本体１０を化粧パネル１１に押し付けてロックするスライドロック部１３とを備えているので、化粧パネル１１をケース本体１０に対して確実に取り付けることができると共に、化粧パネル１１をケース本体１０に対して簡単に且つ容易に着脱することができる。
【００６７】
すなわち、この第１ケース１では、ケース本体１０に化粧パネル１１を取り付ける際に、ケース本体１０の外周に沿って化粧パネル１１を配置すると共に、この化粧パネル１１に見切りパネル１２の縁部１２ａを配置し、この状態で見切りパネル１２を一方向である矢印Ｘ方向にスライドさせると、スライドロック部１３がケース本体１０の縁部１０ａを化粧パネル１１に押し付けるので、スライドロック部１３によってケース本体１０を化粧パネル１１にロックすることができる。このため、スライドロック部１３によってケース本体１０を化粧パネル１１に対して確実に取り付けることができる。
【００６８】
また、この第１ケース１では、ケース本体１０から化粧パネル１１を取り外す際に、見切りパネル１２を逆方向である矢印Ｙ方向にスライドさせると、スライドロック部によるケース本体１０の縁部１０ａに対する押し付けが解除されるので、スライドロック部１３による化粧パネル１１に対するケース本体１０のロックを解除することができる。このため、化粧パネル１１をケース本体１０から容易に取り外すことができる。
【００６９】
このように、この第１ケース１によれば、化粧パネル１１に対するケース本体１０の着脱作業性が良く、ケース本体１０を化粧パネル１１に対して簡単に且つ容易に着脱することができるので、製造時および修理時における組立、分解が容易にできる。また、この第１ケース１によれば、化粧パネル１１に対してケース本体１０を着脱する際に、見切りパネル１２のスライド操作を必要とするため、使用者が簡単にケース本体１０を取り外してしまう危険性を軽減することができる。
【００７０】
この場合、スライドロック部１３は、見切りパネル１２に設けられたフック部１６と、化粧パネル１１に設けられてフック部１６が見切りパネル１２のスライド動作に応じて係脱可能に係合するロック係合部１７とを有し、フック部１６がロック係合部１７に係合した際に、フック部１６がケース本体１０の縁部１０ａを化粧パネル１１に押し付けてロックする構成であることにより、フック部１６によってケース本体１０を化粧パネル１１に対して確実にロックすることができると共に、見切りパネル１２をスライドさせることにより、フック部１６によるケース本体１０のロックを容易に解除することができる。
【００７１】
すなわち、フック部１６は、見切りパネル１２の縁部１２ａに形成されて外部に突出した固定アーム部１６ａと、この固定アーム部１６ａの先端部に形成されて見切りパネル１２のスライド方向に向けて突出した挿入突起部１６ｂとからなり、ロック係合部１７は、化粧パネル１１のパネル装着部１５に設けられた挟持片１７ａと、この挟持片１７ａから化粧パネル１１のケース装着部１４の内面までの間に設けられた装着溝部１７ｂとからなるので、見切りパネル１２の矢印Ｘ方向へのスライド動作に応じて、フック部１６の挿入突起部１６ｂをロック係合部１７の装着溝部１７ｂ内に容易に挿入させることができると共に、見切りパネル１２の矢印Ｙ方向へのスライド動作に応じて、フック部１６の挿入突起部１６ｂをロック係合部１７の装着溝部１７ｂ内から簡単に離脱させることができる。
【００７２】
この場合、装着溝部１７ｂは、化粧パネル１１のパネル装着部１５に設けられた挟持片１７ａからケース装着部１４の内面までの間隔が、フック部１６の挿入突起部１６ｂとケース本体１０の縁部１０ａとの両者が挿入して、ケース本体１０の縁部１０ａがフック部１６の挿入突起部１６ｂによってケース装着部１４の内面に押し付けられる程度の長さで設けられているので、フック部１６の挿入突起部１６ｂがロック係合部１７の装着溝部１７ｂ内に挿入する際に、フック部１６の挿入突起部１６ｂがロック係合部１７の挟持片１７ａに圧接しながら装着溝部１７ｂに挿入することにより、この挿入突起部１６ｂによってケース本体１０の縁部１０ａを化粧パネル１１のケース装着部１４の内面に確実に押し付けることができる。
【００７３】
また、この第１ケース１では、化粧パネル１１に係合突起部１８が設けられており、ケース本体１０に化粧パネル１１の係合突起部１８を係脱可能に係止する係止孔１９が設けられていることより、ケース本体１０が化粧パネル１１から脱落しないように、ケース本体１０を化粧パネル１１に対して係止することができる。
【００７４】
すなわち、係合突起部１８は化粧パネル１１のケース装着部１４の内面に設けられており、係止孔１９はケース本体１０の縁部１０ａに設けられているので、ケース本体１０の縁部１０ａを化粧パネル１１のケース装着部１４の内面に沿って装着させるときに、係合突起部１８を係止孔１９に簡単に且つ確実に係合させることができ、これによりケース本体１０が化粧パネル１１から脱落するのを確実に防ぐことができる。
【００７５】
また、この第１ケース１では、見切りパネル１２をスライドさせた際に、見切りパネル１２のスライド位置を規制する位置規制部２０を備えているので、見切りパネル１２をスライドさせた際に、見切りパネル１２のスライド位置を確実に規制することができる。この場合、位置規制部２０は、見切りパネル１２の縁部１２ａに形成されて外部に弾力的に突出する弾性突起部２１と、化粧パネル１１のパネル装着部１５に設けられて弾性突起部２１が弾力的に係脱可能に係合する係合規制部２２とを備えているので、見切りパネル１２をスライドさせた際に、見切りパネル１２のスライド位置を確実に且つ良好に規制することができる。
【００７６】
すなわち、弾性突起部２１は、見切りパネル１２の縁部１２ａに設けられたスリット孔２１ａと、このスリット孔２１ａの外部側に位置する弾性片部２１ｂと、この弾性片部２１ｂに設けられて見切りパネル１２の外部に突出した突起部２１ｃとを備えており、係合規制部２２は、化粧パネル１１のパネル装着部１５に設けられた位置規制壁部２２ａと、この位置規制壁部２２ａの内面に設けられた第１、第２の各位置規制凹部２２ｂ、２２ｃとを備えているので、見切りパネル１２をスライドさせた際に、弾性突起部２１の突起部２１ｃを弾性片部２１ｂの弾性変形に伴って弾性的に変位させて、第１、第２の各位置規制凹部２２ｂ、２２ｃのいずれかにクリック感をもって係合させることができ、これにより見切りパネル１２のスライド位置を確実に且つ良好に規制することができる。
【００７７】
この場合、第１、第２の各位置規制凹部２２ｂ、２２ｃのうち、第１の位置規制凹部２２ｂは、見切りパネル１２が矢印Ｘ方向にスライドして、スライドロック部１３のフック部１６の挿入突起部１６ｂがロック係合部１７の装着溝部１７ｂに挿入した際に、弾性突起部２１の突起部２１ｃが弾力的に係合することにより、クリック感をもって見切りパネル１２のスライド位置を確実に規制することができる。
【００７８】
また、第２の位置規制凹部２２ｃは、見切りパネル１２が矢印Ｙ方向にスライドして、スライドロック部１３のフック部１６の挿入突起部１６ｂがロック係合部１７の装着溝部１７ｂから離脱した際に、弾性突起部２１の突起部２１ｃが弾力的に係合することにより、クリック感をもって見切りパネル１２のスライド位置を確実に規制することができる。
【００７９】
さらに、この第１ケース１では、化粧パネル１１が見切りパネル１２をスライド可能に保持するスライド保持部２３を備えていることより、見切りパネル１２がガタツクことなく、見切りパネル１２を化粧パネル１１に対して円滑に且つ良好にスライドさせることができる。
【００８０】
この場合、スライド保持部２３は、見切りパネル１２の縁部をスライド可能に挟むものであり、見切りパネル１２の縁部の上部を押える押え片２３ａを備えているので、この押え片２３ａによって見切りパネル１２の縁部を化粧パネル１１のパネル装着部１５に押し付けることができ、これにより見切りパネル１２を化粧パネル１１に対して円滑に且つ良好にスライドさせることができる。
【００８１】
なお、上述した実施形態では、第１ケース１内に入力表示部４を組み込んだ場合について述べたが、必ずしも入力表示部４を組み込む必要はなく、透明なタッチパネル４ａを有していない表示パネル４ｂからなる表示部を第１ケース１内に組み込んだ構成のものでも良い。
【００８２】
また、上述した実施形態では、電子辞書の第１ケース１に適用した場合について述べたが、必ずしも電子辞書の第１ケース１である必要はなく、電子辞書の第２ケース２にも適用することができるほか、必ずしも電子辞書に適用する必要はなく、例えば小型電子式計算機、携帯電話機、ノート型のパーソナルコンピュータなどの各種の電子機器の機器ケースに広く適用することができる。
【符号の説明】
【００８３】
１  第１ケース
２  第２ケース
３  ヒンジ部
４  入力表示部
１０  ケース本体
１０ａ  ケース本体の縁部
１１  化粧パネル
１２  見切りパネル
１２ａ  見切りパネルの縁部
１２ｂ  表示開口部
１３  スライドロック部
１６  フック部
１７  ロック係合部
１８  係合突起部
１９  係止孔
２０  位置規制部
２１  弾性突起部
２２  係合規制部
２３  スライド保持部
２３ａ  押え片
【図１】
0005500376.tif 000002
【図２】
0005500376.tif 000003
【図３】
0005500376.tif 000004
【図４】
0005500376.tif 000005
【図５】
0005500376.tif 000006
【図６】
0005500376.tif 000007
【図７】
0005500376.tif 000008
【図８】
0005500376.tif 000009
【図９】
0005500376.tif 000010
【図１０】
0005500376.tif 000011
【図１１】
0005500376.tif 000012
【図１２】
0005500376.tif 000013
【図１３】
0005500376.tif 000014